(57)【要約】【課題】個人データを処理する、例えば、印刷、写真プリント、翻訳等のＡＳＰ型のサービスシステムにおいて、自らの利用環境において処理、形成したサービス仕様を、利用認定の資格や精算方法等を含めて、あたかも自分が利用しているがごとく、自分が指定する他者にも当該サービスを享受させること。【解決手段】情報処理端末１１０から送信される利用会員ＩＤ，サービス仕様，転送先情報に基づいて、サービス提供サーバ１０２が、該利用会員ＩＤ，サービス仕様を、前記転送先となる情報処理端末１１２に転送し、該情報処理端末１１２から返信される前記情報処理端末１１０から転送された利用会員ＩＤ，サービス仕様，該情報処理端末１１２で添付された原データに基づいて、該情報処理端末１１２で添付された原データに対して前記情報処理端末１１０から転送されたサービス仕様に基づく処理を施す構成を特徴とする。【選択図】図１９
2006185398.tif 000002
【特許請求の範囲】
【請求項１】
所定の通信媒体を介して情報処理装置から送信されるサービス利用を許可されたユーザを特定するユーザ情報，サービスの仕様を特定するサービス仕様情報を含むサービス要求情報と該サービスの対象となるサービス対象データを受信したサービス提供サーバが、前記サービス対象データに対して前記サービス仕様情報に基づく処理を施すサービスシステムにおいて、
前記サービス提供サーバは、
第１の情報処理装置から送信される前記サービス要求情報，該サービス要求情報の転送先として指定される転送先情報を含む転送要求情報を受信すると、該受信した前記サービス要求情報を、前記転送先情報に対応する第２の情報処理装置に転送する転送手段と、
前記第２の情報処理装置から送信される前記第１の情報処理装置から転送されたサービス要求情報，前記第２の情報処理装置で添付されたサービス対象データを受信すると、前記第２の情報処理装置で添付されたサービス対象データに対して前記第１の情報処理装置から転送されたサービス要求情報内のサービス仕様情報に基づく処理を施す制御手段と、
を有することを特徴とするサービスシステム。
【請求項２】
前記制御手段は、前記第２の情報処理装置で添付されたサービス対象データに対する前記第１の情報処理装置から転送されたサービス要求情報内のサービス仕様情報に基づく処理に対する課金を、前記第１の情報処理装置から転送されたサービス要求情報内のユーザ情報に対して行うことを特徴とする請求項１記載のサービスシステム。
【請求項３】
所定の通信媒体を介して情報処理装置から送信されるサービス利用を許可されたユーザを特定するユーザ情報，サービスの仕様を特定するサービス仕様情報を含むサービス要求情報と該サービスの対象となるサービス対象データを受信したサービス提供サーバが、前記サービス対象データに対して前記サービス仕様情報に基づく処理を施すサービスシステムの制御方法において、
前記サービス提供サーバが、第１の情報処理装置から送信される前記サービス要求情報，該サービス要求情報の転送先として指定される転送先情報を含む転送要求情報を受信すると、該受信した前記サービス要求情報を、前記転送先情報に対応する第２の情報処理装置に転送する転送ステップと、
前記サービス提供サーバが、前記第２の情報処理装置から送信される前記第１の情報処理装置から転送されたサービス要求情報，前記第２の情報処理装置で添付されたサービス対象データを受信すると、前記第２の情報処理装置で添付されたサービス対象データに対して前記第１の情報処理装置から転送されたサービス要求情報内のサービス仕様情報に基づく処理を施す処理ステップと、
を有することを特徴とするサービスシステムの制御方法。
【請求項４】
請求項３に記載されたサービスシステムの制御方法をコンピュータが実行するためのプログラム。
【請求項５】
請求項３に記載されたサービスシステムの制御方法をコンピュータが実行するためのプログラムをコンピュータが読み取り可能に記憶した記録媒体。
【発明の詳細な説明】
【技術分野】
【０００１】
本発明は、所定の通信媒体を介して情報処理装置から送信されるユーザ情報，サービス仕様情報，サービス対象データを受信したサービス提供サーバが、前記サービス対象データに対して前記サービス仕様情報に基づく処理を施すサービスシステムおよびサービスシステムの制御方法およびプログラムおよび記録媒体に関する。
【背景技術】
【０００２】
従来より、印刷したいデータと共に印刷仕様などの印刷指示情報をＷｅｂフォーム・電子メールなどを利用してネットワーク経由で指定して印刷依頼を行うアプリケーション・サービス・プロバイダ（ＡＳＰ：Ａｐｐｌｉｃａｔｉｏｎ  Ｓｅｒｖｉｃｅ  Ｐｒｏｖｉｄｅｒ）型のサービスが普及している。このＡＳＰ型のサービスを利用するためには、ユーザはＡＳＰと予め契約を結び、且つアプリケーションプログラムの利用代金を支払う必要がある。特許文献１には、認証システムによって予め認証された認証証明書を用いて契約したユーザを認識して課金を行うＡＳＰ型のサービスが提案されている。
【０００３】
しかし、ＡＳＰ型のサービスの会員でないユーザ（ＡＳＰと契約を結んでいない非会員）が一時的にＡＳＰサービスを利用したい場合がある。
【０００４】
このような場合、通常、非会員は、サービス対象となるデータ（例えば、印刷サービスの場合は画像データ）を会員（ＡＳＰと契約を結んでいるユーザ）に渡し、これを受け取った会員がサービスを利用するといった方法がとられていた（第１の方法）。
【０００５】
また、会員が非会員に自らの会員情報（ＩＤやパスワード等の認証情報）を教え、非会員自身がサービスを利用するといったことも行われる場合があった（第２の方法）。
【特許文献１】特開２００１−３１２３２４号公報
【発明の開示】
【発明が解決しようとする課題】
【０００６】
しかしながら、上記第１の方法では、非会員は、会員にサービス対象のデータ（例えば画像データ）を渡さなければならず、プライバシの保護といった観点で問題があった。
【０００７】
一方、上記第２の方法では、非会員はサービス対象のデータを会員に渡す必要はなく非会員のプライバシは保護される。しかしながら、会員は非会員に会員情報（ＩＤやパスワード，認証証明書等のサービスを利用するための情報）を公開しなければならず、セキュリティ面での問題が大きかった。
【０００８】
また、この第２の方法では、非会員はサービスを受けるための各種設定を自ら行わなければならない。通常、ＡＳＰ型のサービスを受けようとする場合は、個人の認定、会員等の有資格、精算方法、サービス内容の指定や仕様選択等の多くの条件が設定されていなければならないため、不慣れな非会員にとっては非常に煩雑なもであった。
【０００９】
このように、従来のＡＳＰ型サービスを非会員が利用しようとした場合、個人情報，セキュリティ，操作性等の各種問題点があった。
【００１０】
本発明は上記の問題点を解決するためになされたもので、本発明の目的は、第１の情報処理装置から送信されるサービス許可情報，サービス仕様情報，転送先情報に基づいて、サービス提供サーバが、該サービス許可情報，サービス仕様情報を、前記転送先情報に対応する第２の情報処理装置に転送し、該第２の情報処理装置から送信される前記第１の情報処理装置から転送されたサービス許可情報，サービス仕様情報，前記第２の情報処理装置で添付されたサービス対象データに基づいて、前記第２の情報処理装置で添付されたサービス対象データに対して前記第１の情報処理装置から転送されたサービス仕様情報に基づく処理を施すことにより、個人データを処理する、例えば、印刷、写真プリント、翻訳等のＡＳＰ型のサービスシステムにおいて、自らの利用環境において処理、形成したサービス仕様を、利用認定の資格や精算方法等を含めて、あたかも自分が利用しているがごとく、自分が指定する他者にも当該サービスを享受させることができ、当該他人は、利用者から提供されたサービス仕様情報を使って、自己のデータを対象として当該サービスを受けることができるフレキシブルなＡＳＰ型のサービスシステムを構築することを可能とするサービスシステムおよびサービスシステムの制御方法およびプログラムおよび記録媒体を提供することである。
【課題を解決するための手段】
【００１１】
本発明は、所定の通信媒体を介して情報処理装置から送信されるサービス利用を許可されたユーザを特定するユーザ情報，サービスの仕様を特定するサービス仕様情報を含むサービス要求情報と該サービスの対象となるサービス対象データを受信したサービス提供サーバが、前記サービス対象データに対して前記サービス仕様情報に基づく処理を施すサービスシステムにおいて、前記サービス提供サーバは、第１の情報処理装置から送信される前記サービス要求情報，該サービス要求情報の転送先として指定される転送先情報を含む転送要求情報を受信すると、該受信した前記サービス要求情報を、前記転送先情報に対応する第２の情報処理装置に転送する転送手段と、前記第２の情報処理装置から送信される前記第１の情報処理装置から転送されたサービス要求情報，前記第２の情報処理装置で添付されたサービス対象データを受信すると、前記第２の情報処理装置で添付されたサービス対象データに対して前記第１の情報処理装置から転送されたサービス要求情報内のサービス仕様情報に基づく処理を施す制御手段とを有することを特徴とする。
【発明の効果】
【００１２】
本発明によれば、第１の情報処理装置から送信されるサービス許可情報，サービス仕様情報，転送先情報に基づいて、サービス提供サーバが、該サービス許可情報，サービス仕様情報を、前記転送先情報に対応する第２の情報処理装置に転送し、該第２の情報処理装置から送信される前記第１の情報処理装置から転送されたサービス許可情報，サービス仕様情報，前記第２の情報処理装置で添付されたサービス対象データに基づいて、前記第２の情報処理装置で添付されたサービス対象データに対して前記第１の情報処理装置から転送されたサービス仕様情報に基づく処理を施すので、個人データを処理する、例えば、印刷、写真プリント、翻訳等のＡＳＰ型のサービスシステムにおいて、自らの利用環境において処理、形成したサービス仕様を、利用認定の資格や精算方法等を含めて、あたかも自分が利用しているがごとく、自分が指定する他者にも当該サービスを享受させることができる。即ち、当該他人は、利用者から提供されたサービス仕様情報を使って、自己のデータを対象として当該サービスを受けることができるＡＳＰ型のサービスシステムを構築可能である。
【００１３】
このように、ＡＳＰ型のサービスの利用資格者に、当該サービスを受けたい無資格の他人が自己の所有する画像やドキュメントのデータを転送して、サービス利用を代行してもらうものではなく、サービスを受ける仕様を当該他人に提供し、当該他人は、そのサービス仕様を付けて、自己のサービスを受けたい画像やドキュメントをサービス処理側に送ることにより、当該他人は、サービスを受けるときに仕様を決めるプログラム等の資源も必要もなく、自己の情報を見せることもなく、サービスを受ることができる。
【００１４】
また、サービスの資格のないユーザが、不慣れな設定操作を行うことなく、サービス資格者より転送されたサービス仕様でサービスを受けることができる。
【００１５】
さらに、サービス仕様を提供するサービス資格者が、自らサービス仕様を決定するので、提供先の他人が勝手なサービスをうけ、提供者に不利益を与えることを防止することもできる。
【００１６】
従って、ネットワークを介して印刷、写真プリント、翻訳等のＡＳＰ型のサービスを受けようとする他人に対して、個人の認定、会員等の有資格、精算方法を含め、サービス仕様を情報交換するので、他人がその仕様を使い、専門的な知識を必要とせず、煩わしい操作を行うことを回避して、自己のデータ処理について当該サービスを利用できるという効果を奏する。
【００１７】
結果として、当該他人は自己の原データを開示せずに当該サービスを利用できるという利点があり、個人情報を保護する効果を奏する。
【発明を実施するための最良の形態】
【００１８】
〔第１実施形態〕
本実施形態では、各店舗において、各店舗でのサービスを利用する顧客（一人又はグループ）に対してＯｎｅＴｉｍｅＩＤなるものを発行する。このＯｎｅＴｉｍｅＩＤとは、店舗，店舗内に設定された印刷装置，顧客が料金精算する際の精算ＩＤ等を特定可能なものである。
【００１９】
そして、このＯｎｅＴｉｍｅＩＤに対応する店舗内の印刷装置にて、この印刷装置に対して印刷方法を指定して携帯情報端末等から印刷要求を行うための２次元バーコードを印刷し、顧客に渡す。これを受け取った顧客は、この２次元バーコードを携帯情報端末で読み取ることにより電子メールフォームを生成し、所望の画像データを添付して電子メールを送信することにより、この印刷装置を用いたサービスを利用可能にしようというものである。以下、本実施形態について詳細に説明する。
【００２０】
＜システム構成＞
図１，図２は、本発明の第１実施形態を示す印刷システム（販売時点情報管理端末連携型デジタル画像印刷システム）の構成の一例を示すシステム構成図である。
【００２１】
図１，図２において、本実施形態の印刷システムは、所定の通信ネットワーク７００（７００ａ，７００ｂ）を介して互いに通信可能な、複数の携帯情報端末１００（１００ａ，１００ｂ）、複数の印刷装置３００（３００ａ，３００ｂ）、複数のサービス中継サーバ４００（４００ａ，４００ｂ）、複数のレジ端末５００（５００ａ，５００ｂ）、サービス提供サーバ６００等から構成されている。
【００２２】
＜通信ネットワーク７００＞
通信ネットワーク７００の構成は公知であるから詳細な説明は省略するが、通信ネットワーク７００としてローカルエリアネットワーク（ＬＡＮ）・ワイドエリアネットワーク（ＷＡＮ）・イントラネット・インターネットなどを利用することができる。
【００２３】
＜携帯情報端末１００＞
携帯情報端末１００は、サービス提供サーバ６００に電子メールを送信してデジタル画像印刷要求を行う。
【００２４】
＜印刷装置３００＞
印刷装置３００は、サービス提供サーバ６００からの要求に応じて、２次元バーコードデータ（ＯｎｅＴｉｍｅＩＤに対して印刷方法を指定して携帯情報端末１００から印刷要求を行う電子メールフォーム情報を２次元バーコード化したデータ）、携帯情報端末１００から印刷依頼されるデジタル画像データ等の印刷処理を行うものである。
【００２５】
＜サービス中継サーバ４００＞
サービス中継サーバ４００は、顧客グループの精算情報を管理するものであり、サービス中継ＰＧ４０１（４０１ａ，４０１ｂ）、精算情報ＤＢ４０２（４０２ａ，４０２ｂ）が実装されている（精算情報ＤＢ４０２は、他のＤＢサーバ上に実装されていてもよい）。
【００２６】
＜サービス中継ＰＧ４０１＞
サービス中継ＰＧ４０１は、精算情報管理処理４０１１、ＯｎｅＴｉｍｅＩＤ依頼処理４０１２及び、精算依頼処理４０１３を備える。
【００２７】
精算情報管理処理４０１１は、顧客グループが利用する印刷装置３００、店舗での課金情報、サービス提供サーバ６００から送信される課金情報等を精算ＩＤを発行して管理する機能であり、精算情報４０２１・精算明細情報４０２２を精算情報ＤＢ４０２に登録／削除／検索／編集するものである。
【００２８】
ＯｎｅＴｉｍｅＩＤ依頼処理４０１２は、店舗ＩＤ、顧客グループの精算ＩＤ、顧客グループが利用する印刷装置３００の組み合わせに対して一意となるＯｎｅＴｉｍｅＩＤの発行をサービス提供サーバ６００に依頼する機能である。
【００２９】
精算依頼処理４０１３は、１顧客グループの精算を処理する機能であり、レジ端末５００からの精算開始指示に応じて、サービス提供サーバ６００への精算開始通知の発行、精算情報ＤＢ４０２に記憶された情報を利用した精算処理を行うものである。
【００３０】
＜精算情報ＤＢ４０２＞
精算情報ＤＢ４０２は、精算情報４０２１、精算明細情報４０２２を記憶保持する。精算情報４０２１，精算明細情報４０２２の一例を図３に示す。
【００３１】
図３は、図１，図２に示した精算情報ＤＢ４０２に記憶される精算情報４０２１，精算明細情報４０２２の一例を示すデータ構成図である。
【００３２】
図３に示すように、精算情報４０２１は、精算ＩＤ、印刷装置ＩＤ、を含む。また、精算明細情報４０２２は、精算ＩＤ、品目、数量を含む。
【００３３】
以下、図１，図２の説明に戻る。
【００３４】
＜レジ端末５００＞
レジ端末５００は、サービス中継サーバ４００に精算開始を指示すると共に、サービス中継サーバ４００への精算処理依頼、精算情報を記載したレシート印刷を行うものである。
【００３５】
＜サービス提供サーバ６００＞
サービス提供サーバ６００は、携帯情報端末１００・サービス中継サーバ４００等からの要求に応じて印刷装置に関する情報，ＯｎｅＴｉｍｅＩＤ等を管理し、これらを利用したサービスを提供するものであり、サービス提供ＰＧ（プログラム）６０１、サービス管理ＤＢ６０２が実装されている（サービス管理ＤＢ６０２は、他のＤＢサーバ上に実装されていてもよい）。
【００３６】
また、サービス提供サーバ６００は、携帯情報端末１００から送信される印刷要求メール等を受信するＰＯＰ３ｄ６０４が実装されている。
【００３７】
＜サービス提供ＰＧ６０１＞
サービス提供ＰＧ６０１は、ＯｎｅＴｉｍｅＩＤ管理処理６０１１、印刷情報管理処理６０１３及び、精算処理６０１４を備える。
【００３８】
ＯｎｅＴｉｍｅＩＤ管理処理６０１１は、店舗ＩＤ，顧客グループの精算ＩＤ，顧客グループが利用する印刷装置３００の組み合わせに対して一意となるＯｎｅＴｉｍｅＩＤを管理するものであり、サービス中継サーバ４００からの依頼に応じて発行し、精算処理６０１４からの指示に応じて削除する機能であり、ＩＤ情報６０２２をサービス管理ＤＢ６０２に登録／削除／検索／編集する。
【００３９】
印刷情報管理処理６０１３は、印刷装置３００に対する印刷要求を処理するものであり、携帯情報端末１００・サービス中継サーバ４００等からの要求に応じて、ＯｎｅＴｉｍｅＩＤ，ＯｎｅＴｉｍｅＩＤに対して印刷要求を行う電子メールフォーム情報を２次元バーコード化したデータ，デジタル画像データ等の印刷イメージを生成して印刷装置３００に印刷要求を行うと共に、サービス中継サーバ４００に課金情報を送信する。
【００４０】
精算処理６０１４は、精算ＩＤで識別される顧客グループの精算情報を管理するものであり、サービス中継サーバ４００からの精算開始通知に応じて、ＯｎｅＴｉｍｅＩＤ管理処理６０１１にＯｎｅＴｉｍｅＩＤ削除を指示する。
【００４１】
＜サービス管理ＤＢ６０２＞
サービス管理ＤＢ６０２は、印刷装置情報６０２１、ＩＤ情報６０２２及び、店舗情報６０２５を記憶保持する。印刷装置情報６０２１、ＩＤ情報６０２２及び、店舗情報６０２５の一例を図４に示す。
【００４２】
図４は、図２に示した印刷装置情報６０２１，ＩＤ情報６０２２，店舗情報６０２５のデータ構成の一例を示すデータ構成図である。
【００４３】
図４（ａ）に示すように、印刷装置情報６０２１は、予め登録された情報であり、店舗ＩＤ・印刷装置ＩＤ・印刷装置に割り当てられたＩＰアドレスを含む。
【００４４】
図４（ｂ）に示すように、ＩＤ情報６０２２は、ＯｎｅＴｉｍｅＩＤ，店舗ＩＤ，印刷装置ＩＤ，精算ＩＤ，顧客グループがサービスを開始した開始日時を含む。
【００４５】
図４（ｃ）に示すように、店舗情報６０２５は予め登録された情報であり、店舗ＩＤ，店舗名，店舗のサービス中継サーバ４００に割り当てられたＩＰアドレスを含む。
【００４６】
＜ＰＯＰ３ｄ６０４＞
ＰＯＰ３ｄ６０４は、携帯情報端末１００から送信される印刷要求メールを受信すること等を目的として、ＰＯＰ３サービスを提供するものである。
【００４７】
なお、図１において、「店舗Ａ」は印刷装置３００を複数台設置した実施形態を示し、「店舗Ｂ」は印刷装置３００を１台設置して複数の顧客グループが共用する実施形態を示しているが、同一店舗内（サービス中継サーバ４００の管理する範囲内）に印刷装置３００を複数設置した場合でも複数の顧客グループ間で同一の印刷装置３００を共用してもよい。
【００４８】
なお、上述した「電子メールフォーム情報を２次元バーコード化したデータ」を顧客グループが利用する印刷装置から出力することで、２次元バーコードを読み取って電子メールに変換する機能を備えた携帯情報端末１００を有する顧客は、印刷装置の指定，印刷方法の指定等の印刷指示情報の作成を、複雑な入力操作を省略して実現することができる。
【００４９】
なお、印刷方法としては、カラー／白黒／シール／用紙サイズ等の通常の印刷装置で設定可能な印刷設定は全て含まれるものである。これらの印刷方法を設定するための２次元バーコードの一例を図５に示す。
【００５０】
また、上記通常の印刷設定以外の印刷方法として以下に示すようなものが考えられる。
【００５１】
まず、ＯｎｅＴｉｍｅＩＤに該当する「精算ＩＤ」に関連付けられた顧客グループが利用可能な他の印刷装置から出力する印刷方法、また、ＯｎｅＴｉｍｅＩＤに関連付けられた顧客グループが利用可能な複数の印刷装置から同時出力する印刷方法等である。これらの印刷方法を設定するための２次元バーコードの一例を図６に示す。
【００５２】
図５，図６は、図１，図２に示した印刷装置３００からＯｎｅＴｉｍｅＩＤに関連付けられて印刷される２次元バーコードの一例を示す模式図である。
【００５３】
図７，図８は、図５，図６に示した２次元バーコードを携帯情報端末１００で読み取ることにより生成される電子メールフォーム情報の一例を示す模式図である。
【００５４】
特に、図７は図５に示した「カラー印刷」用の２次元バーコードを読み取ることにより生成されたものに対応する。
【００５５】
また、図８は図５に示した「カラー印刷」の２次元バーコードを読み取り、さらに、図６に示した「利用可能な全てのプリンタで印刷する場合」の２次元バーコードを読み取ることにより生成されたものに対応する。
【００５６】
このように２次元バーコードを携帯情報端末により読み取って生成された電子メールフォームに画像データを添付して送信することにより、小型の表示装置，入力装置しか備えていない携帯情報端末であっても、手軽にネットワークプリントサービスを利用できる。
【００５７】
なお、上記「電子メールフォーム情報を２次元バーコード化したデータ」に含まれる「ＯｎｅＴｉｍｅＩＤ」を精算対象も特定可能な情報とし、印刷処理の際に課金情報を蓄積していくことで、上述のネットワークプリント操作の簡易性を保ちながら、印刷処理に関する課金情報を管理することもできる。
【００５８】
＜ハードウェア構成＞
図９は、図１，図２に示した印刷装置３００，サービス中継サーバ４００，レジ端末５００，サービス提供サーバ６００，通信ネットワーク７００のハードウェア構成を示すブロック図である。
【００５９】
以下、各装置のハードウェア構成について詳細に説明する。
【００６０】
＜通信ネットワーク７００＞
通信ネットワーク７００の構成は公知であるから詳細な説明は省略するが、通信ネットワーク７００としてローカルエリアネットワーク（ＬＡＮ）・ワイドエリアネットワーク（ＷＡＮ）・イントラネット・インターネットなどを利用することができる。
【００６１】
＜サービス中継サーバ４００，サービス提供サーバ６００＞
コンピュータ装置であるサービス中継サーバ４００，サービス提供サーバ６００のハードウェア構成は、ほぼ同様の構成を有するので、以下ではサービス中継サーバ４００の構成を中心に説明し、サービス提供サーバ６００の構成は異なる部分のみを説明する。
【００６２】
ＣＰＵ（Ｂ２００）は、ＲＯＭ（Ｂ５００），ＨＤＤ（Ｂ７００）に格納されたプログラムに従い、ＲＡＭ（Ｂ６００）をワークメモリに利用して、システム全体を制御する。さらに、ＣＰＵ（Ｂ２００）は、キーボードやマウス、テンキーなどの入力装置（Ｂ１００）を介して入力されるユーザの指示に従い、ＨＤＤ（Ｂ７００）に格納されたプログラムをＲＡＭ（Ｂ６００）にロードして実行することにより、各種処理を実現する。
【００６３】
例えば、サービス中継サーバ４００においては、ＣＰＵ（Ｂ２００）は、ＨＤＤ（Ｂ７００）に格納されたサービス中継ＰＧ４０１をＲＡＭ（Ｂ６００）にロードして実行することにより、精算情報管理処理４０１１，ＯｎｅＴｉｍｅＩＤ依頼処理４０１２，精算依頼処理４０１３等を実行する。
【００６４】
なお、サービス提供サーバ６００においては、ＣＰＵ（Ｂ２００）は、ＨＤＤ（Ｂ７００）に格納されたサービス提供ＰＧ６０１をＲＡＭ（Ｂ６００）にロードして実行することにより、ＯｎｅＴｉｍｅＩＤ管理処理６０１１，印刷情報管理処理６０１３，精算処理６０１４等を実行する。
【００６５】
また、サービス中継サーバ４００のＨＤＤ（Ｂ７００）には、精算情報ＤＢが実装される。さらに、サービス提供サーバ６００のＨＤＤ（Ｂ７００）には、サービス管理ＤＢが実装される。
【００６６】
表示装置（Ｂ３００）は、ＣＲＴやＬＣＤなどのディスプレイであり、ＣＰＵ（Ｂ２００）が実行する処理の経過や結果などが表示される。リムーバブルメディアドライブ（Ｂ８００）は、主にリムーバブルメディアからＨＤＤ（Ｂ７００）へファイルを書き込んだり、ＨＤＤ（Ｂ７００）から読み出したファイルをリムーバブルメディアへ書き込む場合に利用される。リムーバブルメディアとしては、フロッピー（登録商標）ディスク（ＦＤＤ）・ＣＤ−ＲＯＭ・ＣＤ−Ｒ・ＣＤ−Ｒ／Ｗ・ＤＶＤ−ＲＯＭ・ＤＶＤ−Ｒ・ＤＶＤ−Ｒ／Ｗ・ＤＶＤ−ＲＡＭ・ＭＯ・メモリカード、などが利用できる。
【００６７】
通信インタフェース（Ｂ４００）は、コンピュータ装置を通信ネットワーク７００へ接続するためのインターフェイスである。
【００６８】
＜印刷装置３００＞
印刷装置３００は、通信ネットワーク７００へ接続するための通信インターフェイス（Ｐ１００）と、通信インターフェイス（Ｂ４００）から通知される印刷イメージを印刷するプリンタ部（Ｐ２００）から構成される。
【００６９】
＜携帯情報端末１００，レジ端末５００＞
携帯情報端末１００，レジ端末５００のハードウェア構成については省略する。なお、携帯情報端末１００は、ＣＰＵ，ＲＯＭ，メモリ，操作部，表示部，カメラ，通信部等を有し、カメラを用いて２次元バーコードを読み取り電子メールフォームを生成し、画像データを添付してサービス提供サーバ６００に送信可能な構成であればどのような構成であってもよい。
【００７０】
また、レジ端末５００は、ＣＰＵ，ＲＯＭ，メモリ，操作部，表示部，通信部，印刷部等を有し、サービス中継サーバ４００に精算開始を指示する機能、サービス中継サーバ４００への精算処理依頼、精算情報を記載したレシート印刷する機能を有する構成であれば、どのような構成であってもよい。
【００７１】
＜フローチャート＞
以下、図１０、図１１、図１２、図１３を参照して、本発明の印刷システムにおける携帯情報端末１００、印刷装置３００、サービス中継サーバ４００、レジ端末５００、サービス提供サーバ６００が実行する各手順（精算情報作成，ＯｎｅＴｉｍｅＩＤの発行からデジタル画像登録，印刷、及び、精算までの手順）について説明する。
【００７２】
なお、これらの処理を行う前提条件として、サービス提供サーバ６００のサービス管理ＤＢ６０２に、印刷装置を識別するための印刷装置情報６０２１とサービス中継サーバを識別するための店舗情報６０２５が登録されていることが必要となる。
【００７３】
＜概要＞
図１０は、本発明の印刷システムにおける一連の処理手順について、概略の一例を示すフローチャートである。なお、図中、Ｓ１００は携帯情報端末１００のＣＰＵがＲＯＭに格納されるプログラムをメモリ上にロードして実行することにより実現されるステップを示す。また、Ｓ１１０，Ｓ１１１は印刷装置３００のＣＰＵがＲＯＭに格納されるプログラムをメモリ上にロードして実行することにより実現されるステップを示す。さらに、Ｓ１２０〜Ｓ１２５は、サービス中継サーバ４００及びレジ端末５００のＣＰＵがＲＯＭに格納されるサービス中継ＰＧ４０１等をＲＡＭ上にロードして実行することにより実現されるステップを示す。また、Ｓ１３０〜Ｓ１３７は、サービス提供サーバ６００のＣＰＵがＲＯＭに格納されるサービス提供ＰＧ６０１をＲＡＭ上にロードして実行することにより実現されるステップを示す。
【００７４】
また、Ｄ１００〜Ｄ１０３は、図１０の各ステップにおいて送信伝達される情報内容を示している。
【００７５】
さらに、図１０の（１）は、精算情報作成，ＯｎｅＴｉｍｅＩＤ発行の処理を示すものであり、印刷装置３００，サービス中継サーバ４００のサービス中継ＰＧ４０１，サービス提供サーバ６００のサービス提供ＰＧ６０１により実行される。
【００７６】
また、図１０の（２）は、デジタル画像の印刷，課金情報追加の処理を示すものであり、携帯情報端末１００，印刷装置３００，サービス中継サーバ４００のサービス中継ＰＧ４０１，サービス提供サーバ６００のサービス提供ＰＧ６０１により実行される。
【００７７】
さらに、図１０の（３）は、ＯｎｅＴｉｍｅＩＤ削除，精算の処理を示すものであり、サービス中継サーバ４００のサービス中継ＰＧ４０１，レジ端末５００，サービス提供サーバ６００のサービス提供ＰＧ６０１により実行される。
【００７８】
＜（１）ＩＤ発行＞
図１０の（１）を参照して、精算情報作成・ＯｎｅＴｉｍｅＩＤ発行処理の概略について説明する。
【００７９】
まず、ステップＳ１２０において、サービス中継サーバ４００のサービス中継ＰＧ４０１は、レジ端末５００からの要求を受信すると、店舗内の顧客グループに対して一意となる精算ＩＤと顧客グループが利用する印刷装置３００に付与された印刷装置ＩＤとを精算情報ＤＢ４０２に登録する（精算情報作成）。
【００８０】
そして、ステップＳ１２１において、サービス中継サーバ４００のサービス中継ＰＧ４０１は、ステップＳ１２０で作成した精算情報と店舗ＩＤ（Ｄ１００に示す情報）をサービス提供サーバ６００に送信し、ＯｎｅＴｉｍｅＩＤの発行を要求する。
【００８１】
そして、ステップＳ１３０において、サービス提供サーバ６００のサービス提供ＰＧ６０１は、店舗ＩＤと精算ＩＤと印刷装置ＩＤの組合せに対して一意となるＯｎｅＴｉｍｅＩＤを作成し、受信したＤ１００の情報とともにサービス管理ＤＢ６０２に登録する（ＯｎｅＴｉｍｅＩＤ発行）。
【００８２】
そして、ステップＳ１３１において、サービス提供サーバ６００のサービス提供ＰＧ６０１は、ステップＳ１３０で作成したＯｎｅＴｉｍｅＩＤに対して印刷要求を行う電子メールフォーム情報を２次元バーコード化したデータを生成する。
【００８３】
そして、ステップＳ１３２において、サービス提供サーバ６００のサービス提供ＰＧ６０１は、ステップＳ１３１で生成した２次元バーコードの印刷イメージ（Ｄ１０１に示す情報）を作成し、受信した印刷装置ＩＤに該当する印刷装置情報をサービス管理ＤＢ６０２から検索し、印刷装置３００に送信して印刷指示を行う。
【００８４】
そして、ステップＳ１１０において、印刷装置３００は受信した２次元バーコードの印刷イメージ（Ｄ１０１に示す情報）を印刷し、処理を終了する。
【００８５】
＜（２）画像印刷＞
図１０の（２）を参照して、デジタル画像の印刷・課金情報追加の処理の概略について説明する。
【００８６】
まず、ステップＳ１００において、ユーザからの指示により、携帯情報端末１００は２次元バーコードを読み込んで自動作成した電子メールフォーム（図１０（１）のステップＳ１３０において作成された、店舗ＩＤと精算ＩＤと印刷装置ＩＤの組合せに対して一意となるＯｎｅＴｉｍｅＩＤを記載し、送信先にサービス提供サーバ６００のメールアドレスを指定した電子メール）に、デジタル画像を添付した電子メールデータをサービス提供サーバ６００に送信し、デジタル画像印刷を依頼する。
【００８７】
そして、ステップＳ１３３において、サービス提供サーバ６００のサービス提供ＰＧ６０１は、携帯情報端末１００からのデジタル画像印刷依頼（Ｄ１０２の内容が記載された電子メール）を受信し、ＯｎｅＴｉｍｅＩＤとデジタル画像データを解析するとともに、ＯｎｅＴｉｍｅＩＤから印刷装置ＩＤを検索する。
【００８８】
そして、ステップＳ１３５において、サービス提供サーバ６００のサービス提供ＰＧ６０１は、ステップＳ１３３で解析して獲得したデジタル画像データの印刷イメージ（Ｄ１０３に示す情報（印刷ジョブ））を作成し、ステップＳ１３３で検索した印刷装置ＩＤに該当する印刷装置情報をサービス管理ＤＢ６０２から検索し、印刷装置３００に送信して印刷指示を行う。
【００８９】
そして、ステップＳ１１１において、印刷装置３００は受信したデジタル画像データの印刷イメージ（Ｄ１０３に示す情報（印刷ジョブ））に基づく印刷処理実行し、印刷が終了するとその旨をサービス提供サーバ６００に送信する。
【００９０】
そして、ステップＳ１３５で印刷装置３００に対する印刷指示を行ったサービス提供サーバ６００のサービス提供ＰＧ６０１は、ステップＳ１３６において、ステップＳ１３４で検索した店舗ＩＤに該当する店舗情報（店舗に設置されたサービス中継サーバ情報）を検索し、サービス中継サーバ４００にステップＳ１３３，Ｓ１３５で示したデジタル画像データ印刷処理に対する課金情報（精算ＩＤ・品目・数量）を送信して精算情報の更新を指示する。
【００９１】
そして、ステップＳ１２２において、サービス中継サーバ４００は受信した課金情報を精算情報ＤＢ４０２に追加して記憶し、処理を終了する。
【００９２】
＜（３）精算＞
図１０の（３）を参照して、ＯｎｅＴｉｍｅＩＤ削除，精算の処理の概略について説明する。
【００９３】
まず、ステップＳ１２３において、顧客グループに対する精算業務として、レジ端末５００がサービス中継サーバ４００に精算開始を指示する。指示を受けたサービス中継サーバ４００のサービス中継ＰＧ４０１は、図１０の（１）のステップＳ１２０で顧客グループに対して作成した精算ＩＤと店舗ＩＤをサービス提供サーバ６００に送信して精算開始を通知する。
【００９４】
そして、ステップＳ１３７において、サービス提供サーバ６００のサービス提供ＰＧ６０１は、受信した店舗ＩＤと精算ＩＤの組合せに該当するＩＤ情報をサービス管理ＤＢ６０２から検索し、該当するＩＤ情報をサービス管理ＤＢ６０２から削除する。
【００９５】
そして、サービス中継サーバ４００のサービス中継ＰＧ４０１は、ステップＳ１２４において、精算ＩＤに該当する精算情報を精算情報ＤＢ４０２から検索し、料金算出してレジ端末５００に通知する。
【００９６】
そして、ステップＳ１２５において、レジ端末５００は、精算情報を顧客グループの精算が終了した際にレシート印刷等を行い、処理を終了する。
【００９７】
＜ＯｎｅＴｉｍｅＩＤ発行手順＞
図１１は、本発明の印刷システムにおける第１の制御処理手順の一例を示すフローチャートであり、図１０（１）に示したＩＤ発行処理を詳細化したものであり、精算情報作成，ＯｎｅＴｉｍｅＩＤ発行処理を示す。なお、図１０と同一のステップには同一のステップ番号を付してある。
【００９８】
まず、ステップＳ１２０において、サービス中継サーバ４００のサービス中継ＰＧ４０１（精算情報管理処理４０１１）は、店舗内の顧客グループに対して一意となる精算ＩＤを作成し、顧客グループが利用する印刷装置３００に付与された印刷装置ＩＤと共に精算情報ＤＢ４０２の精算情報４０２１に登録する。
【００９９】
なお、Ｓ１２０は、顧客グループが注文を開始する際、注文登録用携帯情報端末等が実施する最初の注文データ登録をトリガにして自動実行してもよいし、キーボード操作などにより明示的に開始を指示することで実行してもよい。
【０１００】
そして、ステップＳ１２１において、サービス中継サーバ４００のサービス中継ＰＧ４０１（ＯｎｅＴｉｍｅＩＤ依頼処理４０１２）は、Ｓ１２０で作成した精算情報（精算ＩＤ，印刷装置ＩＤ）と店舗ＩＤをサービス提供サーバ６００に送信（Ｄ１００に示す情報を送信）し、ＯｎｅＴｉｍｅＩＤの発行を要求する。複数の顧客グループが同一の印刷装置３００を共同利用する場合でも、同様の手順でステップＳ１２０，Ｓ１２１を実行する（他の顧客グループとは精算ＩＤが異なるため、印刷装置ＩＤが同じであっても各種要求を識別することができる）。また、１顧客グループが複数の印刷装置３００を利用する場合は、利用する印刷装置３００全てに同一の精算ＩＤを組合わせてステップＳ１２０，１２１を実行する。
【０１０１】
そして、ステップＳ１３０−１において、サービス提供サーバ６００のサービス提供ＰＧ６０１（ＯｎｅＴｉｍｅＩＤ管理処理６０１１）が、サービス中継サーバ４００のサービス中継ＰＧ４０１からのＯｎｅＴｉｍｅＩＤ発行要求を受信すると、ステップＳ１３０−２において、受信した店舗ＩＤと精算ＩＤと印刷装置ＩＤ（Ｄ１００に示す情報）の組合せに対して一意となるＯｎｅＴｉｍｅＩＤを作成する。
【０１０２】
そして、ステップＳ１３０−３において、ステップＳ１３０−１で受信したＤ１００の情報とステップＳ１３０−２で作成したＯｎｅＴｉｍｅＩＤとをサービス管理ＤＢ６０２のＩＤ情報６０２２に登録する。なお、１顧客グループのサービス利用を制限する場合、精算ＩＤに対応する利用回数上限値と利用回数項目をサービス管理ＤＢ６０２のＩＤ情報６０２２に設け、利用回数を「０」としてここで登録してもよい。
【０１０３】
そして、ステップＳ１３１において、サービス提供サーバ６００のサービス提供ＰＧ６０１（印刷情報管理処理６０１３）は、ステップＳ１３０−２で作成した「ＯｎｅＴｉｍｅＩＤに対して印刷要求を行うための電子メールフォーム情報」を２次元バーコード化したデータを生成する。
【０１０４】
この２次元バーコードの内容には、〔１〕送信先メールアドレス（サービス提供サーバ６００のＰＯＰ３ｄ６０４が受信するメールアドレス），〔２〕印刷装置を識別するためのＯｎｅＴｉｍｅＩＤ，〔３〕印刷方法を識別するための情報を設定し、〔２〕〔３〕については、サービス提供サーバ６００のサービス提供ＰＧ６０１（印刷情報管理処理６０１３）が受信した際に解析可能になるよう、表題や本文に設定するなど定型のフォームを定義する必要がある（複数の印刷装置に対する同時印刷サービスを想定して、〔２〕はカンマ区切りで指定できるようにするなどのフォームを定義することも可能）。
【０１０５】
また、ステップＳ１３１において、携帯情報端末１００のハードディスク等に格納され携帯情報端末１００のＣＰＵにより実行される「２次元バーコードを電子メールフォームに変換する機能」について、携帯情報端末１００の種別などにより複数の変換方法が存在する場合は、これらに応じた複数種類の２次元バーコードを作成してもよい。
【０１０６】
そして、ステップＳ１３２において、サービス提供サーバ６００のサービス提供ＰＧ６０１（印刷情報管理処理６０１３）は、ステップＳ１３０−１で受信した店舗ＩＤと印刷装置ＩＤの組合せに該当する印刷装置のＩＰアドレスをサービス管理ＤＢ６０２の印刷装置情報６０２１から検索し、ステップＳ１３１で生成した２次元バーコードを印刷するための「印刷イメージ（Ｄ１０１に示す情報）」を作成し、検索したＩＰアドレスが示す印刷装置３００に送信して印刷指示を行う。なお、ステップＳ１３１で複数の２次元バーコードを作成した場合は、これをメニューリスト化した印刷イメージを作成して印刷指示を行う。
【０１０７】
そして、ステップＳ１１０において、印刷装置３００は、サービス提供サーバ６００のサービス提供ＰＧ６０１（印刷情報管理処理６０１３）から受信した印刷イメージ（Ｄ１０１に示す情報）を印刷し、処理を終了する。
【０１０８】
なお、印刷装置３００がステップＳ１１０において印刷する、メニューリスト化した２次元バーコードの一例を図５，図６に示してある。
【０１０９】
携帯情報端末１００は、利用者が選択したメニューリスト内の２次元バーコードを２次元バーコードリーダ等で読み込むことで、印刷装置の指定，印刷方法の指定に応じた「印刷指示を行う電子メールフォーム」を自動的に（ユーザによる各情報の入力処理なしに）作成し、デジタル画像付き電子メール印刷サービスの利用が容易になる。
【０１１０】
なお、２次元バーコードを携帯情報端末１００で読み取ることにより生成される、印刷方法を指定する電子メールフォームの例を図７に示し、利用可能な他の印刷装置を指定する電子メールフォームの例を図８に示してある。
【０１１１】
＜デジタル画像印刷処理＞
図１２は、本発明の印刷システムにおける第２の制御処理手順の一例を示すフローチャートであり、図１０（２）に示した画像印刷処理を詳細化したものであり、デジタル画像の印刷，課金情報追加の処理を示す。なお、図１０と同一のステップには同一のステップ番号を付してある。また、Ｄ３０１は、図５の各ステップにおいて送信伝達される情報内容を示している。
【０１１２】
まず、ステップＳ１００において、携帯情報端末１００は、〔１〕送信先（Ｔｏヘッダ）に「サービス提供サーバ６００のメールアドレス」を指定し、〔２〕図１１の１３０−２で、サービス提供サーバ６００のサービス提供ＰＧ６０１（ＯｎｅＴｉｍｅＩＤ管理処理６０１１）が、店舗ＩＤと精算ＩＤと印刷装置ＩＤの組合せに対して発行した「ＯｎｅＴｉｍｅＩＤ」を定型のフォームに記載（表題に記載、など），〔３〕印刷方法指示を定型のフォームに記載（本文に記載等），〔４〕印刷対象とする「デジタル画像データ」（添付）等の情報によって構成される電子メールを送信し、デジタル画像印刷を依頼する。
【０１１３】
なお、上記デジタル画像付き電子メールの〔１〕〔２〕〔３〕の情報については、図１１のステップＳ１１０で印刷装置３００が印刷した２次元バーコードリスト（図５、図６に２次元バーコードの印刷例を示してある）を、携帯情報端末１００に搭載された２次元バーコードリーダが読み込み、携帯情報端末１００のハードディスク等に格納され携帯情報端末１００のＣＰＵにより実行される「２次元バーコードを電子メールフォームに変換する機能」によって作成する。なお、上記「ＯｎｅＴｉｍｅＩＤに対して印刷要求を行う電子メールフォーム情報」に従った電子メールの作成画面例を図７，図８に示してある。特に、図８に示した例は、利用可能な全ての印刷装置に印刷指示を行う指定に対応する。
【０１１４】
そして、ステップＳ１３３において、サービス提供サーバ６００のサービス提供ＰＧ６０１（印刷情報管理処理６０１３）は、携帯情報端末１００からのデジタル画像印刷依頼（ステップＳ１００で携帯情報端末１００が送信した電子メール）を受信すると、ステップＳ１３５−１において、定型のフォームに従ってメール内容を解析して、ＯｎｅＴｉｍｅＩＤ，印刷方法指示，デジタル画像データを獲得する。
【０１１５】
そして、ステップＳ１３５−２において、サービス提供サーバ６００のサービス提供ＰＧ６０１（印刷情報管理処理６０１３）は、ステップＳ１３５−１で解析し獲得したＯｎｅＴｉｍｅＩＤに該当する店舗ＩＤ，印刷装置ＩＤ，精算ＩＤをサービス管理ＤＢ６０２のＩＤ情報６０２２から検索し、店舗ＩＤ，印刷装置ＩＤの組合せに該当する「印刷装置に割り当てられたＩＰアドレス」をサービス管理ＤＢ６０２の印刷装置情報６０２１から検索する。
【０１１６】
そして、ステップＳ１３５−３において、サービス提供サーバ６００のサービス提供ＰＧ６０１（印刷情報管理処理６０１３）は、ステップＳ１３５−１で解析し獲得したデジタル画像データを印刷するための「印刷イメージ（Ｄ１０３に示す情報）」を作成し、ステップＳ１３５−２で検索したＩＰアドレスが示す印刷装置３００に送信して印刷指示を行う。
【０１１７】
なお、この際、ステップＳ１３５−１で解析した印刷方法指示に応じた印刷指示を印刷装置３００に対して行う。
【０１１８】
そして、ステップＳ１１１において、印刷装置３００は、サービス提供サーバ６００のサービス提供ＰＧ６０１（印刷情報管理処理６０１３）が送信したデジタル画像データの印刷イメージ（Ｄ１０３に示す情報）を受信し、印刷処理を行う。そして、印刷処理終了時に、その旨を示す情報をサービス提供サーバ６００に送信する。
【０１１９】
そして、ステップＳ１３５−３で印刷装置３００に対する印刷指示を行ったサービス提供サーバ６００のサービス提供ＰＧ６０１（印刷情報管理処理６０１３）は、ステップＳ１３６において、店舗ＩＤに該当する「サービス中継サーバに割り当てられたＩＰアドレス」をサービス管理ＤＢ６０２の店舗情報６０２５から検索する。さらに、デジタル画像印刷処理に対する課金情報として、精算ＩＤ，品目（カラー印刷・モノクロ印刷・シール印刷等），数量（枚数、等）等の情報（Ｄ３０１に示す情報）を、検索した「サービス中継サーバに割り当てられたＩＰアドレス」が示すサービス中継サーバ４００に送信し、精算情報更新指示を発行する。
【０１２０】
そして、ステップＳ１２２において、サービス中継サーバ４００のサービス中継ＰＧ４０１（精算情報管理処理４０１１）は、精算情報更新指示（Ｄ３０１に示す情報）を受信し、受信した情報に含まれる、精算ＩＤ，品目，数量を精算情報ＤＢ４０２の精算明細情報４０２２に登録して処理を終了する。
【０１２１】
なお、１顧客グループのサービス利用を制限する場合、精算ＩＤに対応する利用回数上限値と利用回数項目をサービス管理ＤＢ６０２のＩＤ情報６０２２に設け、ステップＳ１３５−２において利用回数上限値と利用回数を獲得し、利用回数が利用回数上限値以上の場合はサービス利用不可となる旨を利用者に通知する手段を実行してもよい。なお、この場合、ステップＳ１３５−３で利用回数を更新する必要がある。
【０１２２】
＜精算処理＞
図１３は、本発明の印刷システムにおける第３の制御処理手順の一例を示すフローチャートであり、図１０（３）に示した精算処理を詳細化したものであり、ＯｎｅＴｉｍｅＩＤ削除，精算の処理を示す。なお、図１０と同一のステップには同一のステップ番号を付してある。また、Ｄ５００は、図１３の各ステップにおいて送信伝達される情報内容を示している。
【０１２３】
まず、ステップＳ１２３−１において、顧客グループに対する精算業務として、レジ端末５００は、サービス中継サーバ４００に精算ＩＤ（図１１のステップＳ１２０でサービス中継サーバ４００のサービス中継ＰＧ４０１（精算情報管理処理４０１１）が店舗内の顧客グループに対して一意となるよう作成した情報）を送信して精算開始を指示する。この際、レジ端末５００がサービス中継サーバ４００に送信する精算ＩＤは、操作者がレジ端末５００の入力装置などを使用して指定したものとする。
【０１２４】
そして、ステップＳ１２３−２において、レジ端末５００からの精算開始指示を受けたサービス中継サーバ４００のサービス中継ＰＧ４０１（精算依頼処理４０１３）は、精算開始指示に含まれる精算ＩＤと店舗ＩＤ（Ｄ５００に示す情報）をサービス提供サーバ６００に送信し、精算開始を通知する。
【０１２５】
そして、ステップＳ１３７−１において、サービス提供サーバ６００のサービス提供ＰＧ６０１（精算処理６０１４）が、サービス中継サーバ４００のサービス中継ＰＧ４０１（精算依頼処理４０１３）からの精算開始通知を受信すると、ステップＳ１３７−２において、サービス提供サーバ６００のサービス提供ＰＧ６０１（精算処理６０１４）は、サービス提供ＰＧ６０１（ＯｎｅＴｉｍｅＩＤ管理処理６０１１）に対し、サービス管理ＤＢ６０２のＩＤ情報６０２２に登録され、ステップＳ１３７−１で受信した店舗ＩＤ，精算ＩＤの組合せに該当する情報を削除するよう指示する。指示を受けたサービス提供ＰＧ６０１（ＯｎｅＴｉｍｅＩＤ管理処理６０１１）は、当該情報を削除する。
【０１２６】
そして、ステップＳ１２４において、サービス中継サーバのサービス中継ＰＧ４０１（精算依頼処理４０１３）が、Ｓ１２３−２でレジ端末から受信した精算ＩＤに該当する情報を精算情報ＤＢ４０２の精算明細情報４０２２から検索し、精算金額を算出してレジ端末５００に通知する。
【０１２７】
そして、ステップＳ１２５において、レジ端末５００は、サービス中継サーバ４００のサービス中継ＰＧ４０１（精算依頼処理４０１３）からの通知を受信し、精算金額をレシート印刷するなどして、処理を終了する。
【０１２８】
以上説明したように、本実施形態によれば、出力対象とする印刷装置を特定可能なＯｎｅＴｉｍｅＩＤを発行し、ＯｎｅＴｉｍｅＩＤを指定して特定の印刷方法による印刷指示を行うための「電子メールフォーム情報を２次元バーコード化したデータ」を、該当する印刷装置から出力することで、２次元バーコードを読み取り、電子メールに変換する機能を備えた携帯情報端末であれば、印刷装置の指定，印刷方法の指定等の印刷指示情報の作成を、携帯情報端末が印刷装置情報を保持することなく、携帯情報端末側の入力操作を省略して簡単な操作で実現することができる。
【０１２９】
また、ＯｎｅＴｉｍｅＩＤを精算対象も特定可能な情報とすることで、上記したネットワーク印刷指示の簡易性を保ちながら、印刷処理に関する課金情報を管理することができる。
【０１３０】
さらに、レジ端末５００は、印刷サービス以外のサービス及び販売等に対しても、上記精算ＩＤを用いて、対応する顧客に課金することが可能である。例えば、飲食店の場合には、飲食代金と上述の印刷代金を同一の精算ＩＤにより課金して、一括管理することができる。
【０１３１】
〔第２実施形態〕
上記第１実施形態では、出力対象とする印刷装置を特定可能なＯｎｅＴｉｍｅＩＤを発行し、ＯｎｅＴｉｍｅＩＤを指定して特定の印刷方法による印刷指示を行うための「電子メールフォーム情報を２次元バーコード化したデータ」を、該当する印刷装置から出力し、携帯情報端末により２次元バーコードを読み取り、電子メールに変換することにより、携帯情報端末での印刷装置の指定，印刷方法の指定等の印刷指示情報の作成を容易にする構成について説明したが、２次元バーコードリーダを備えていない携帯情報端末では、上記第１実施形態の方法を用いることはできない。
【０１３２】
そこで本実施形態では、２次元バーコードリーダを搭載していない携帯情報端末利用者がグループ内に居る場合に、２次元バーコードリーダを搭載した携帯情報端末利用者が２次元バーコードを読みとり、情報をメールフォームに変換して当該情報をサービス提供サーバ６００を介して情報交換し、この情報を用いて、印刷装置の指定，印刷方法の指定等の印刷指示情報の指定を行うように構成する。これにより、上記２次元バーコードリーダを搭載していない携帯情報端末利用者でも、容易に印刷装置の指定，印刷方法の指定等の印刷指示情報を作成して印刷指示する（２次元バーコード情報を享受して印刷サービスを受ける）ことができる。以下、その実施形態について説明する。
【０１３３】
図１４は、本発明の印刷システムの第２実施形態における処理（サービス仕様等の他人への情報交換処理）の流れを示した図である。
【０１３４】
図１４に示すように、まず、２次元バーコードリーダ１３１２を搭載した携帯情報端末１００ｘを使用している利用者Ｘは、２次元バーコード１３０２を２次元バーコードリーダ１３１２で読み、携帯情報端末に搭載したの２次元バーコード情報を読み取ってメールフォームに変換して、サービス仕様情報である印刷仕様等をメールにセットする。
【０１３５】
そして、利用者Ｘは、利用者Ｙが使用している２次元バーコードリーダを搭載していない携帯情報端末１００ｙのメールアドレスを転送先に指定する。この指定画面の一例を図１５に示す。
【０１３６】
図１５は、図１４に示した２次元バーコードリーダを搭載する携帯情報端末１００ｘの利用者Ｘが２次元バーコードリーダを搭載していない携帯情報端末１００ｙのメールアドレスを指定する際の携帯情報端末画面の一例を示す模式図である。
【０１３７】
そして、利用者Ｘは、上記携帯情報端末１００ｙのメールアドレスを転送先に指定したメール１３０４をサービス提供サーバ６００に送信する。メール１３０４の電子メールフォーム内容を１３０９に示す。ここで、「転送先」にはＹのメールアドレスが格納されている。なお、２次元バーコードを利用しなくても、サービス仕様情報を入力できるが、この場合も、携帯情報端末１００ｘは当該システムが提供するメールフォーム形成用のプログラムを搭載していなければならない。また、携帯情報端末１００ｙはこのプログラムを搭載していなくても、サービス仕様情報を情報交換してもらえれば、当該サービスは可能である。
【０１３８】
サービス提供サーバ６００は、メールを受信し、要求を解析する。要求が「転送」であるかを判断し、転送である場合には、転送先（ここでは、携帯情報端末１００ｙ）に対して、印刷サービスのメッセージと共に返信を促すメール１３０５を送信する。メール１３０５の電子メールフォーム内容を１３１０に示す。なお、メール１３０５には、利用者Ｘがセットしたサービス仕様情報がそっくり残っている。このメール１３０５の受信画面の一例を図１６に示す。
【０１３９】
図１６は、図１４に示した２次元バーコードリーダを搭載しない携帯情報端末１００ｙにおけるメール１３０６の受信画面の一例を示す模式図である。
【０１４０】
図１６に示すように、「あなたのデータを添付して返信してください」のメッセージにより、利用者Ｙはサービスが提供されたことを認識できる。
【０１４１】
そして、利用者Ｙは、受信したメール１３０５の返信メールの添付ファイルとして、自己の印刷したい原データを添付したメール１３０５を、サービス提供サーバ６００に返信する。メール１３０６の電子メールフォーム内容を１３１１に示す。また、このメール１３０６の送信画面の一例を図１７に示す。
【０１４２】
図１７は、図１４に示した２次元バーコードリーダを搭載しない携帯情報端末における返信メールの送信画面の一例を示す模式図である。
【０１４３】
これにより、利用者Ｙの原データと共にサービス仕様情報もサービス提供サーバ６００に送信され、当該原データは、サービス提供サーバ６００において、印刷イメージ（印刷ジョブ）に変換され、印刷装置３００に送られる。
【０１４４】
印刷装置３００は、受信した印刷イメージに基づく印刷処理を実行し、利用者Ｙは所望の印刷物１３０８を取得することができる。
【０１４５】
＜サービス仕様情報等の他人への情報交換処理のフローチャート＞
図１８は、本発明の印刷システムにおける第４に制御処理手順の一例を示すフローチャートであり、サービス仕様情報等の他人への情報交換処理に対応する。なお、図中、Ｓ４００，Ｓ４０１は携帯情報端末１００ｘのＣＰＵがＲＯＭに格納されるプログラムをメモリ上にロードして実行することにより実現されるステップを示す。また、図中、Ｓ４１０，Ｓ４１１は携帯情報端末１００ｙのＣＰＵがＲＯＭに格納されるプログラムをメモリ上にロードして実行することにより実現されるステップを示す。さらに、また、Ｓ４２０〜Ｓ４２２は、サービス提供サーバ６００のＣＰＵがＲＯＭに格納されるサービス提供ＰＧ６０１をＲＡＭ上にロードして実行することにより実現されるステップを示す。
【０１４６】
まず、ステップＳ４００において、携帯情報端末１００は、ユーザからの指示により、２次元バーコードを読み取り、該読み取った２次元バーコードのデータをメールフォームに変換する。
【０１４７】
そして、ユーザが、情報を渡したい利用者の携帯情報端末１００ｙのメールアドレスが転送先に入力されて転送指示がなされると、ステップＳ４０１において、携帯情報端末１００は、該メールアドレスを転送先にセットし、サービス仕様情報（「ＯｎｅＴｉｍｅＩＤ」，印刷方法等）を含む電子メールを送信し、デジタル画像印刷を依頼する。
【０１４８】
そして、ステップＳ４２０において、サービス提供サーバ６００のサービス提供ＰＧ６０１（印刷情報管理処理６０１３）は、携帯情報端末１００ｘからの電子メールを受信すると、ステップＳ４２１において、そのメールが転送要求であるか否かを判断し、転送要求でないと判定した場合には、図１２に示したステップＳ１３５−１に処理を移行させて、通常のサービスを行う。
【０１４９】
一方、ステップＳ４２１で、サービス提供サーバ６００のサービス提供ＰＧ６０１（印刷情報管理処理６０１３）が、ステップＳ４２０で受信したメールが転送要求であると判定した場合には、ステップＳ４２２において、該ステップＳ４２０で受信したメールの転送先に対して、印刷サービスのメッセージと共に返信を促す電子メールを送信する。
【０１５０】
そして、ステップＳ４１０において、携帯情報端末１００ｙは、この印刷サービスのメッセージを含む返信を促す電子メールを受信する。
【０１５１】
そして、ステップＳ４１０で受信した電子メールの返信メールに対して、利用者Ｙから印刷したい画像データが添付ファイルに指定され、送信が指示されると、ステップＳ４１１において、携帯情報端末１００ｙは、自己の画像データを添付ファイルにしたメールを、サービス提供サーバ６００に返信する。
【０１５２】
そして、サービス提供サーバ６００のサービス提供ＰＧ６０１（印刷情報管理処理６０１３）は、図１２のステップＳ１３３において、この携帯情報端末１００ｙからの電子メールを受信し、ステップＳ１３５以降の処理を実行する。これにより、ステップＳ４１１で、携帯情報端末１００ｙが添付した画像データは、ステップＳ４００で読み取った２次元バーコードに対応する印刷方法，印刷装置で印刷される。
【０１５３】
以上示したように、２次元バーコードリーダを搭載していない携帯情報端末でも、２次元バーコードリーダを搭載した他の携帯情報端末で読み取られた２次元バーコードのデータに元づく印刷装置，印刷方法を用いて、容易に印刷指定することができる。
【０１５４】
〔第３実施形態〕
上記第２実施形態では、第１実施形態のＯｎｅＴｉｍｅＩＤを用いた印刷システムにおいて、２次元バーコードリーダを搭載した携帯情報端末利用者が２次元バーコードを読みとり、情報をメールフォームに変換して当該情報をサービス提供サーバ６００を介して２次元バーコードリーダを搭載していない携帯情報端末に送信し（情報交換し）、２次元バーコードリーダを搭載していない携帯情報端末では、この情報（ＯｎｅＴｉｍｅＩＤ，印刷方法）を用いて印刷装置の指定，印刷方法の指定等を行う構成について説明したが、この情報交換処理を一般のＡＳＰ（アプリケーション・サービス・プロバイダ）型のサービス（例えば、印刷サービス，翻訳サービス等）において行うように構成してもよい。即ち、ＡＳＰ型サービスの会員の情報を、上記情報交換処理と同様の方法により、ＡＳＰ型サービスサーバを介して会員でないユーザの情報端末に送信して、該会員でないユーザは、この会員から享受された情報を用いてＡＳＰ型サービスを利用可能に構成してもよい。
【０１５５】
＜システム構成＞
図１９，図２０は、本発明の第３実施形態を示すアプリケーションサービスシステムを適用可能な印刷システムの構成の一例を示すシステム構成図である。
【０１５６】
上述したように、本実施形態は、サービス非会員であるが、サービス会員の了解のもと、ＡＳＰ型のサービスを一時的に受けることができる。例えば、サービス非会員Ｙの情報処理端末に対して、サービス会員Ｘの情報処理端末から、サービス会員Ｘの利用者情報とサービスのサービス仕様情報を、サービス提供サーバ経由で、転送すれば、サービス非会員Ｙは、転送されたサービス会員Ｘの利用者情報とサービスのサービス仕様情報を利用して、サービス提供サーバが提供するＡＳＰ型のサービスを受けることができる。なお、本実施形態では、印刷サービスを例にして説明するが、ＡＳＰ型のサービスは、印刷サービスに限られるものではなく、翻訳サービス等その他のサービスであってもよい。
【０１５７】
図１９，図２０において、本実施形態の印刷システムは、所定の通信ネットワーク１０４を介して互いに通信可能な、複数のサービス会員の情報処理端末１１０、複数のサービス非会員の情報処理端末１１２、店舗１０５等に設置される複数の印刷装置１０７、通信制御装置１０６、印刷サービス処理センタ１０１に設置されるサービス提供サーバ１０２等から構成されている。
【０１５８】
＜通信ネットワーク１０４＞
通信ネットワーク１０４の構成は公知であるから詳細な説明は省略するが、通信ネットワーク１０４としてローカルエリアネットワーク（ＬＡＮ）・ワイドエリアネットワーク（ＷＡＮ）・イントラネット・インターネットなどを利用することができる。
【０１５９】
＜サービス会員の情報処理端末１１０＞
情報処理端末１１０は、直接、サービス提供サーバ１０２に電子メールを送信してサービス要求を行う。また、情報処理端末１１０は、自らのサービス会員情報を用いたサービスのサービス非会員に利用させるための情報をサービス提供サーバ１０２を介して、サービス非会員の情報処理端末１１２に送信可能である。なお、情報処理端末１１０は、パーソナルコンピュータであっても、携帯情報端末であってもよい。
【０１６０】
＜サービス非会員の情報処理端末１１２＞
サービス非会員の情報処理端末１１２は、サービス提供サーバ６００を介してサービス会員の情報処理端末より送信されたサービスを利用するための情報を用いた場合のみ、サービス提供サーバ１０２に電子メールを送信してサービス要求を行うことが可能となる。なお、情報処理端末１１２は、パーソナルコンピュータであっても、携帯情報端末であってもよい。
【０１６１】
＜印刷装置１０７＞
印刷装置１０７は、サービス提供サーバ１０２からの要求に応じて、印刷依頼されるデジタル画像データ等の印刷処理を行うものである。
【０１６２】
＜通信制御装置１０６＞
通信制御装置１０６は、通信ネットワーク１０４を介してのサービス提供サーバ１０２とのデータ送受信を制御する。
【０１６３】
＜サービス提供サーバ１０２＞
サービス提供サーバ１０２は、情報処理端末１１０等からの要求に応じて印刷装置に関する情報，利用会員ＩＤ等を管理し、これらを利用したサービスを提供するものであり、サービス提供ＰＧ（プログラム）２０２、サービス管理ＤＢ１０３が実装されている（サービス管理ＤＢ１０３は、他のＤＢサーバ上に実装されていてもよい）。
【０１６４】
また、サービス提供サーバ１０２は、情報処理端末１１０から送信される印刷要求メール等を受信する通信データ制御部２０１が実装されている。
【０１６５】
＜サービス提供ＰＧ２０２＞
サービス提供ＰＧ２０２は、サービス処理管理部２０３、印刷情報管理部２０４及び、利用者情報管理部２０５を備える。
【０１６６】
サービス処理管理部２０３は、サービス全体の資源やＩＤを管理し、システムの中核を占める。また、要求解析を実行する処理スケジュール管理等の機能が、情報処理端末１１０からの処理要求を、「印刷要求」、「転送要求」等を判断している。
【０１６７】
印刷情報管理部２０４は、印刷装置３００に対する印刷要求を処理するものであり、携帯情報端末からの要求に応じて、電子メールフォーム情報を２次元バーコード化したデータの形成や、デジタル画像データ等の印刷イメージを生成して印刷装置に印刷要求を行う役割を受け持つ。
【０１６８】
利用者情報管理部２０４は、会員等の利用者の情報管理、精算IDで識別される精算情報資料を管理するものである。
【０１６９】
＜サービス管理ＤＢ１０３＞
サービス管理ＤＢ１０３は、次のように印刷装置情報２０６、各ＩＤ関連情報２０７、及び店舗情報２１０を記憶保持する。印刷装置情報２０６、各ＩＤ関連情報２０７、及び店舗情報２１０の一例を図２１に示す。
【０１７０】
図２１は、図２０に示した印刷装置情報２０６，各ＩＤ関連情報２０７，店舗情報２１０のデータ構成の一例を示すデータ構成図である。
【０１７１】
図２１（ａ）に示すように、印刷装置情報２０６は、予め登録された情報であり、店舗ＩＤ，印刷装置ＩＤ，印刷装置に割り当てられたＩＰアドレスを含む。
【０１７２】
図２１（ｂ）に示すように、各ＩＤ関連情報２０７は、利用会員ＩＤ（サービス利用を許可されたユーザを特定するユーザ情報），店舗ＩＤ，印刷装置ＩＤ，精算ＩＤ，顧客グループがサービスを開始した開始日時を含む。
【０１７３】
図２１（ｃ）に示すように、店舗情報２１０は予め登録された情報であり、店舗ＩＤ，店舗名，店舗のサービス中継サーバ４００に割り当てられたＩＰアドレスを含む。
【０１７４】
＜通信データ制御部２０１＞
通信データ制御部２０１は、携帯情報端末から送信される印刷要求メールを受信すること等を目的として、ＰＯＰ３サービスを提供するものである。
【０１７５】
＜情報処理端末１１０＞
情報処理端末１１０は、サービス提供サーバ１０２により提供されるサービスを利用するための情報を生成する情報形成部２０９を備える。
【０１７６】
なお、図１９，図２０に示した印刷装置１０７，通信制御装置１０６，サービス提供サーバ１０２，情報処理端末１１０のハードウェア構成は、図９に示したものと同様であるので省略する。
【０１７７】
＜概要＞
図２２は、本発明の印刷システムの第３実施形態における処理（サービス仕様等の他人への情報交換処理）の流れを示した図である。
【０１７８】
図２２に示すように、まず、サービス会員Ｘは、情報処理端末１１０の情報形成部２０９を用いて、利用会員ＩＤ，サービス仕様情報である印刷仕様等をメールにセットする。
【０１７９】
そして、サービス会員Ｘは、サービス非会員Ｙのメールアドレスを転送先に指定する。この指定画面の一例を図２３に示す。
【０１８０】
図２３は、図２０に示したサービス会員Ｘが情報処理端末１１０を用いてサービス非会員のメールアドレスを転送指定する際の情報処理端末画面の一例を示す模式図である。
【０１８１】
そして、サービス会員Ｘは、サービス非会員のメールアドレスを転送先に指定したメール３０４をサービス提供サーバ１０２に送信する。メール３０４の電子メールフォーム内容を３０９に示す。ここで、「転送先」にはサービス非会員Ｙのメールアドレスが格納されている。なお、利用会員ＩＤ，サービス仕様情報のセットには、情報形成部２０９を用いる必要がある。また、利用者会員ＩＤは、暗号化技術により保護されているものとする（これにより、利用者会員ＩＤ等が転送先のユーザに不正利用されることを回避することができる）。さらに、サービス非会員Ｙの情報処理端末１１２は情報形成部２０９を搭載していなくても、サービス会員Ｘからサービス仕様情報（サービスの仕様を特定する）を情報交換してもらえれば、当該サービスは可能である。
【０１８２】
サービス提供サーバ１０２は、メールを受信し、要求を解析する。要求が「転送」であるかを判断し、転送である場合には、転送先（ここでは、情報処理端末１１２）に対して、印刷サービスのメッセージと共に返信を促すメール３０５を送信する。メール３０５の電子メールフォーム内容を３１０に示す。なお、メール３０５には、利用者Ｘがセットした利用会員ＩＤ，サービス仕様情報が含まれている。このメール３０５の受信画面の一例を図２４に示す。
【０１８３】
図２４は、図１９に示したサービス非会員Ｙの情報処理端末１１２におけるメール３０６の受信画面の一例を示す模式図である。
【０１８４】
図２４に示すように、「あなたのデータを添付して返信してください」のメッセージにより、利用者Ｙはサービスが提供されたことを認識できる。
【０１８５】
そして、利用者Ｙは、受信したメール３０５の返信メールの添付ファイルとして、自己の印刷したい原データ（サービスを受けたいデータ）を添付したメール３０６を、サービス提供サーバ１０２に返信する。メール３０６の電子メールフォーム内容を３１１に示す。また、このメール３０６の送信画面の一例を図２５に示す。
【０１８６】
図２５は、図１９に示したサービス非会員Ｙの情報処理端末１１２における転送メールの返信画面の一例を示す模式図である。
【０１８７】
これにより、利用者Ｙの原データと共に利用会員ＩＤ，サービス仕様情報もサービス提供サーバ１０２に送信される。そして、サービス提供サーバ１０２は、送信された原データに基づいてサービスを行う（本実施形態の場合は、印刷サービスを例としているため、原データを印刷イメージ（印刷ジョブ）に変換し、印刷装置３００に送信するが、翻訳サービス等を行う場合には、原データを翻訳処理し、該翻訳結果をサービス非会員の情報処理端末１１２に送信する）。
【０１８８】
印刷装置３００は、受信した印刷イメージに基づく印刷処理を実行し、サービス非会員Ｙは所望の印刷物３０８を取得することができる。
【０１８９】
このように、本発明は、サービス利用の資格とサービス機能仕様を情報交換によって手に入れ、印刷等のサービスを代行利用できるシステムである。
【０１９０】
＜フローチャート＞
以下、図２６、図２７を参照して、本発明の第３実施形態を示す印刷システムにおける情報処理端末１１０、印刷装置１０７、サービス提供サーバ１０２が実行する各手順について説明する。
【０１９１】
まず、図２６を参照して、サービス会員による通常のサービス利用について示す。
【０１９２】
＜サービス会員によるサービスの利用のフローチャート＞
なお、これらの処理を行う前提条件として、サービス提供サーバ１０２のサービス管理ＤＢ１０３，各ＩＤ関連情報２０７，店舗情報２１０に各情報が登録されていることが必要となる。
【０１９３】
図２６は、本発明の印刷システムにおける第５に制御処理手順の一例を示すフローチャートであり、サービス会員による通常のサービス利用処理に対応する。なお、図中、Ｓ５０１，Ｓ５０２は情報処理端末１１０のＣＰＵがＲＯＭに格納されるプログラムをメモリ上にロードして実行することにより実現されるステップを示す。また、図中、Ｓ５１０は印刷装置１０７のＣＰＵがＲＯＭに格納されるプログラムをメモリ上にロードして実行することにより実現されるステップを示す。さらに、Ｓ５２０〜Ｓ５２３は、サービス提供サーバ１０２のＣＰＵがＲＯＭに格納されるサービス提供ＰＧ２０２をＲＡＭ上にロードして実行することにより実現されるステップを示す。
【０１９４】
まず、ステップＳ５０１において、情報処理端末１１０は、ユーザからの指示により、情報処理端末１１０は印刷仕様情報，印刷物受取店舗ＩＤ，利用会員ＩＤ，印刷装置ＩＤ，利用期間等を含むサービス仕様情報を生成し、ステップＳ５０２において、ステップＳ５０１で生成したサービス仕様情報を含み、デジタル画像が添付された電子メールデータ５０３をサービス提供サーバ１０２に送信し、デジタル画像印刷を依頼する。
【０１９５】
そして、ステップＳ５２０において、サービス提供サーバ１０２のサービス提供ＰＧ２０２は、情報処理端末１１０からのデジタル画像印刷依頼（５０３の内容が記載された電子メール）を受信し、要求を解析する。
【０１９６】
そして、ステップＳ５２１において、サービス提供サーバ１０２のサービス提供ＰＧ２０２は、要求が画像印刷要求であると判定した場合には、ステップＳ５２２において、ステップＳ５２０で受信したデジタル画像データの印刷イメージ（５０９に示す情報（印刷ジョブ））を作成し、ステップＳ５２０で受信した電子メールで指定された店舗ＩＤ，印刷装置ＩＤに該当する印刷装置情報をサービス管理ＤＢ１０３から検索し、ステップＳ５２３において、印刷装置１０７に送信して印刷指示を行う。
【０１９７】
そして、ステップＳ５１０において、印刷装置１０７は受信したデジタル画像データの印刷イメージ（５０９に示す情報（印刷ジョブ））に基づく印刷処理実行し、印刷が終了するとその旨をサービス提供サーバ１０２に送信する。
【０１９８】
そして、ステップＳ５２３で印刷装置１０７に対する印刷指示を行ったサービス提供サーバ１０２のサービス提供ＰＧ２０２は、図示しないステップで利用会員ＩＤ等に対応する精算ＩＤに対して、デジタル画像データ印刷処理に対する課金処理を行う。
【０１９９】
以上のような処理により、サービス利用者会員は、印刷物を受け取ることができる。
【０２００】
なお、ステップＳ５２１で、サービス提供サーバ１０２のサービス提供ＰＧ２０２は、転送要求であると判定した場合には、後述する図２７のステップＳ６２２に処理を進める。
【０２０１】
次に、図２７を参照して、サービス会員からサービス非会員にサービスしよう情報を渡し、サービス非会員がサービスを利用する場合について示す。
【０２０２】
＜サービス仕様情報等の他人への情報交換処理を用いたサービス利用のフローチャート＞
図２７は、本発明の印刷システムにおける第６の制御処理手順の一例を示すフローチャートであり、サービス仕様情報等の他人への情報交換処理を用いたサービス利用処理に対応する。なお、図中、Ｓ６０１，Ｓ６０２は情報処理端末１１０のＣＰＵがＲＯＭに格納されるプログラムをメモリ上にロードして実行することにより実現されるステップを示す。また、Ｓ６１０は情報処理端末１１２のＣＰＵがＲＯＭに格納されるプログラムをメモリ上にロードして実行することにより実現されるステップを示す。さらに、Ｓ６２０〜Ｓ６２２は、サービス提供サーバ１０２のＣＰＵがＲＯＭに格納されるサービス提供ＰＧ２０２をＲＡＭ上にロードして実行することにより実現されるステップを示す。
【０２０３】
まず、ステップＳ６０１において、情報処理端末１１０は、ユーザからの指示により、情報処理端末１１０は印刷仕様情報，印刷物受取店舗ＩＤ，利用会員ＩＤ，印刷装置ＩＤ，利用期間等を含むサービス仕様情報を生成する。
【０２０４】
そして情報を渡したいサービス非会員のメールアドレスが転送先に入力されて転送指示がなされると、ステップＳ６０２において、情報処理端末１１０は、該メールアドレスを転送先にセットし、サービス仕様情報（転送指定セット済み）を含む電子メールを送信し、転送を依頼する。
【０２０５】
そして、ステップＳ６２０において、サービス提供サーバ１０２のサービス提供ＰＧ２０２は、情報処理端末１１０からの依頼（６０３の内容が記載された電子メール）を受信し、要求を解析する。
【０２０６】
そして、ステップＳ６２１において、サービス提供サーバ１０２のサービス提供ＰＧ２０２は、要求が転送要求であると判定した場合には、ステップＳ６２２において、ステップＳ６２０で受信したメールの転送先に対して、印刷サービスのメッセージと共に返信を促す電子メールを送信する。
【０２０７】
そして、情報処理端末１１２は、この印刷サービスのメッセージを含む返信を促す電子メールを受信し、該受信した電子メールの返信メールに対して、サービス非会員Ｙから印刷したい画像データが添付ファイルに指定され、送信が指示されると、ステップＳ６１０において、情報処理端末１１２は、自己の画像データを添付ファイルにしたメールを、サービス提供サーバ１０２に返信する。
【０２０８】
そして、サービス提供サーバ１０２のサービス提供ＰＧ２０２は、図２６のステップＳ５２０において、この情報処理端末１１２からの電子メールを受信し、ステップＳ５２１〜Ｓ５２３の処理を実行する。これにより、ステップＳ６２０で、情報処理端末１１２が添付した画像データは、ステップＳ６０１でサービス会員ｘの情報処理端末１１０で生成された印刷方法，印刷装置で印刷される。なお、サービス提供サーバ１０２は、この印刷が終了した際に、サービス非会員Ｙからの要求により実行した印刷サービスに対する課金情報を、サービス会員Ｘのメールアドレスに送信するように構成してもよい。
【０２０９】
なお、ステップＳ６２１で、サービス提供サーバ１０２のサービス提供ＰＧ２０２が、画像印刷要求であると判定した場合には、図２６のステップＳ５２２に処理を進める。
【０２１０】
以上の処理により、ネットワークを介して印刷、写真プリント、翻訳等のＡＳＰ型のサービスを受けようとする他人に対して、個人の認定、会員等の有資格、精算方法を含め、サービス仕様を情報交換することにより、他人がその仕様を使い、自己のデータ処理について当該サービスを利用できるという効果を奏する。
【０２１１】
また、当該他人は自己の原データを開示せずに当該サービスを利用できるという利点があり、個人情報を保護する効果を奏する。
【０２１２】
さらに、当該サービス会員も、自己の利用会員情報等を他人に教えることなく、他人にサービスを利用させることができる。
【０２１３】
なお、サービス提供サーバ１０２は、受信した転送要求に対して、ユニークなＩＤを付し、このＩＤに対応する、サービス非会員からの返信は、１回限り、有効であるように制御するように構成してもよい。これにより、サービス会員の許可なしに、サービス非会員が勝手に何度もサービスを利用することを防止することができる。
【０２１４】
また、上記第２実施形態で示したように、サービス仕様を２次元バーコードに集約して提供するサービスを読み取ってサービス仕様を入力可能に構成してもよい。これにより、サービス仕様の設定などの専門的な知識を必要とせず、煩わしい操作を繰り返すことが回避できる等の効果を奏する。
【０２１５】
従って、データ処理や印刷出力等のいわゆるＡＳＰ型のサービスでは、サービスを受ける者は利用許可の認定、精算方式、本人認定の仕方、場合によりサービスを受けるプログラムの提供等が必要になる。
【０２１６】
また、サービス処理内容を熟知していないと、当該サービスが利用できない場合も多い。
【０２１７】
このように、一時的にサービスを受けたい者がいても、簡単には利用できない制約が存在する。
【０２１８】
また、本実施形態では、使用機器やプログラム環境などの制約があって、一時的なサービスを簡単には受けられない者に対して、認定資格と利用環境がある者が、自己の認定に基づき、自己の費用負担において、自らサービス仕様を指定し、その生成されたサービスの仕様をそっくり、他人に転用させ、サービスを一時的に受けさせることができる。
【０２１９】
これにより、個人データを処理する、例えば、印刷、写真プリント、翻訳等のＡＳＰ型のサービスにおいて、自らの利用環境において処理、形成したサービス仕様を、利用認定の資格や精算方法等を含めて、あたかも自分が利用しているがごとく、自分が指定する他者にも当該サービスを享受させることができる。
【０２２０】
即ち、当該他人が、利用者から提供された「サービス仕様の情報」を使って、自己の原データにもＡＳＰ型のサービスを受けることができる。
【０２２１】
なお、上述した各実施形態及びその変形例を組み合わせた構成も全て本発明に含まれるものである。
【０２２２】
また、上述した各種データの構成及びその内容はこれに限定されるものではなく、用途や目的に応じて、様々な構成や内容で構成されることは言うまでもない。
【０２２３】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０２２４】
以下、図２８に示すメモリマップを参照して本発明に係るシステムを構成する各情報処理装置で読み取り可能なデータ処理プログラムの構成について説明する。
【０２２５】
図２８は、本発明に係るシステムを構成する各情報処理装置で読み取り可能な各種データ処理プログラムを格納する記録媒体（記憶媒体）のメモリマップを説明する図である。
【０２２６】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２２７】
さらに、各種プログラムに従属するデータも上記ディレクトリに管理されている。また、インストールするプログラムやデータが圧縮されている場合に、解凍するプログラム等も記憶される場合もある。
【０２２８】
本実施形態における図１１，図１２，図１３，図１８，図２６，図２７に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０２２９】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０２３０】
この場合、記録媒体から読み出されたプログラムコード自体が本発明の新規な機能を実現することになり、そのプログラムコードを記憶した記録媒体は本発明を構成することになる。
【０２３１】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０２３２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２３３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２３４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０２３５】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【０２３６】
【図１】本発明の第１実施形態を示す印刷システム（販売時点情報管理端末連携型デジタル画像印刷システム）の構成の一例を示すシステム構成図である。
【図２】本発明の第１実施形態を示す印刷システム（販売時点情報管理端末連携型デジタル画像印刷システム）の構成の一例を示すシステム構成図である。
【図３】図１，図２に示した精算情報ＤＢに記憶される精算情報，精算明細情報の一例を示すデータ構成図である。
【図４】図２に示した印刷装置情報，ＩＤ情報，店舗情報のデータ構成の一例を示すデータ構成図である。
【図５】図１，図２に示した印刷装置からＯｎｅＴｉｍｅＩＤに関連付けられて印刷される２次元バーコードの一例を示す模式図である。
【図６】図１，図２に示した印刷装置からＯｎｅＴｉｍｅＩＤに関連付けられて印刷される２次元バーコードの一例を示す模式図である。
【図７】図５，図６に示した２次元バーコードを携帯情報端末で読み取ることにより生成される電子メールフォーム情報の一例を示す模式図である。
【図８】図５，図６に示した２次元バーコードを携帯情報端末で読み取ることにより生成される電子メールフォーム情報の一例を示す模式図である。
【図９】図１，図２に示した印刷装置，サービス中継サーバ，レジ端末，サービス提供サーバ，通信ネットワークのハードウェア構成を示すブロック図である。
【図１０】本発明の印刷システムにおける一連の処理手順について、概略の一例を示すフローチャートである。
【図１１】本発明の印刷システムにおける第１の制御処理手順の一例を示すフローチャートである。
【図１２】本発明の印刷システムにおける第２の制御処理手順の一例を示すフローチャートである。
【図１３】本発明の印刷システムにおける第３の制御処理手順の一例を示すフローチャートである。
【図１４】本発明の印刷システムの第２実施形態における処理（サービス仕様等の他人への情報交換処理）の流れを示す図である。
【図１５】図１４に示した２次元バーコードリーダを搭載する携帯情報端末の利用者Ｘが２次元バーコードリーダを搭載していない携帯情報端末のメールアドレスを指定する際の携帯情報端末画面の一例を示す模式図である。
【図１６】図１４に示した２次元バーコードリーダを搭載しない携帯情報端末における転送メールの受信画面の一例を示す模式図である。
【図１７】図１４に示した２次元バーコードリーダを搭載しない携帯情報端末における転送メールの返信画面の一例を示す模式図である。
【図１８】本発明の印刷システムにおける第４に制御処理手順の一例を示すフローチャートである。
【図１９】本発明の第３実施形態を示すアプリケーションサービスシステムを適用可能な印刷システムの構成の一例を示すシステム構成図である。
【図２０】本発明の第３実施形態を示すアプリケーションサービスシステムを適用可能な印刷システムの構成の一例を示すシステム構成図である。
【図２１】図２０に示した印刷装置情報，各ＩＤ関連情報，店舗情報のデータ構成の一例を示すデータ構成図である。
【図２２】本発明の印刷システムの第３実施形態における処理（サービス仕様等の他人への情報交換処理）の流れを示す図である。
【図２３】図２０に示したサービス会員Ｘが情報処理端末を用いてサービス非会員のメールアドレスを転送指定する際の情報処理端末画面の一例を示す模式図である。
【図２４】図１９に示したサービス非会員Ｙの情報処理端末における転送メールの受信画面の一例を示す模式図である。
【図２５】図１９に示したサービス非会員Ｙの情報処理端末における転送メールの返信画面の一例を示す模式図である。
【図２６】本発明の印刷システムにおける第５に制御処理手順の一例を示すフローチャートである。
【図２７】本発明の印刷システムにおける第６に制御処理手順の一例を示すフローチャートである。
【図２８】本発明に係るシステムを構成する各情報処理装置で読み取り可能な各種データ処理プログラムを格納する記録媒体（記憶媒体）のメモリマップを説明する図である。
【符号の説明】
【０２３７】
１００  携帯情報端末
３００  印刷装置
４００  サービス中継サーバ
５００  レジ端末
６００  サービス提供サーバ
７００  通信ネットワーク
【図１】
2006185398.tif 000003
【図２】
2006185398.tif 000004
【図３】
2006185398.tif 000005
【図４】
2006185398.tif 000006
【図５】
2006185398.tif 000007
【図６】
2006185398.tif 000008
【図７】
2006185398.tif 000009
【図８】
2006185398.tif 000010
【図９】
2006185398.tif 000011
【図１０】
2006185398.tif 000012
【図１１】
2006185398.tif 000013
【図１２】
2006185398.tif 000014
【図１３】
2006185398.tif 000015
【図１４】
2006185398.tif 000016
【図１５】
2006185398.tif 000017
【図１６】
2006185398.tif 000018
【図１７】
2006185398.tif 000019
【図１８】
2006185398.tif 000020
【図１９】
2006185398.tif 000021
【図２０】
2006185398.tif 000022
【図２１】
2006185398.tif 000023
【図２２】
2006185398.tif 000024
【図２３】
2006185398.tif 000025
【図２４】
2006185398.tif 000026
【図２５】
2006185398.tif 000027
【図２６】
2006185398.tif 000028
【図２７】
2006185398.tif 000029
【図２８】
2006185398.tif 000030